(57)【特許請求の範囲】
【請求項１】
浴室内の空気を屋外へ排気する換気手段と、
浴室内へ空気を送風する送風手段と、
前記送風手段により浴室内へ送風する空気を加熱する加熱手段と、
前記送風手段により浴室内へ送風する空気の送風方向を切り換える送風方向切換手段と、
運転モードに応じて送風方向を連続的に変化させ、且つ、送風方向の変化の速度を変化させるように、前記送風方向切換手段を制御する制御手段を備えた浴室空調装置において、
前記換気手段による浴室内の空気の換気と、前記送風手段による浴室内への空気の送風と、前記加熱手段による浴室内へ送風する空気の加熱とを行って浴室内の被乾燥物を乾燥させる運転モードを乾燥運転モードとしたとき、
前記制御手段は、
前記乾燥運転モードの実行時に、送風方向を連続的に変化させ、且つ、被乾燥物が配置されるべき方向への送風時は他の方向への送風時と比較して送風方向の変化の速度が遅くなるように、前記送風方向切換手段を制御する
ことを特徴とする浴室空調装置。
【請求項２】
前記制御手段は、
前記乾燥運転モードの実行時に、連続的に変化する送風方向が、設定された送風範囲の両端であるときに、送風方向がそれ以外の時と比較して送風方向の変化の速度が速くなるように、前記送風方向切換手段を制御する
ことを特徴とする請求項１記載の浴室空調装置。
【発明の詳細な説明】
【技術分野】
【０００１】
本発明は、浴室内の被乾燥物の乾燥を行う浴室空調装置に関する。詳しくは、送風方向が連続的または断続的に変化し、且つ、特定方向への送風時は他の方向への送風時よりも変化の速度が遅くなるように、浴室内へ送風する空気の送風方向を制御することにより、浴室内の広い範囲に送風を行い、且つ、特定方向に集中して送風を行うことを可能とするものである。
【背景技術】
【０００２】
従来から、浴室内に設置された衣類などの被乾燥物の乾燥を行う機能を有する浴室空調装置が提供されている。浴室空調装置による浴室内の被乾燥物の乾燥は、次のように行われる。
【０００３】
浴室空調装置は、浴室内の空気を吸込み、吸込んだ空気の一部を屋外へ排気する。また浴室空調装置は、吸込んだ浴室内の空気の残部を加熱して、浴室内に送風する。このように、浴室内に吹出した温風により被乾燥物を乾燥させる。またこの時、浴室内の空気の一部は屋外に排気されて浴室内の換気が行われるので、湿気等が排出されることで、被乾燥物の乾燥が促進される。
【０００４】
また上記とは別に、乾燥運転モード時と暖房運転モード時における送風方向の切り換えを行う浴室暖房乾燥機が提案されている（例えば特許文献１参照）。
【０００５】
特許文献１に開示される浴室暖房乾燥機は、乾燥運転モード時においては、被乾燥物の乾燥予定場所に向けた乾燥用吹出し方向に温風が吹出し、暖房運転モード時においては、浴室内の洗い場に向けた暖房用吹出し方向に温風が吹出す構成である。また特許文献１に開示される浴室暖房乾燥機では、リモコンからの指示により、乾燥用吹出し方向または暖房用吹出し方向への送風方向の切り換えが行われる。
【０００６】
このような構成により、特許文献１に開示される浴室暖房乾燥機は、容易に送風方向の切り換えを行うことを可能とし、また、被乾燥物の乾燥を効率良く行うものである。
【０００７】
【特許文献１】特許３１５７４９４号公報
【発明の開示】
【発明が解決しようとする課題】
【０００８】
しかし、上述した従来の浴室空調装置による浴室内の被乾燥物の乾燥においては、次のような問題がある。
【０００９】
従来の浴室空調装置において被乾燥物の乾燥を行う際は、温風の送風方向が一定であるため、常に被乾燥物の同一箇所に温風が当たった状態となる。また、浴室内の空気の循環が広く行われない状態となる。このため、被乾燥物の温風が当たる場所と温風が当たらない場所の間の乾燥に差が生じ、被乾燥物全体の乾燥を効率良く行うことができない問題がある。
【００１０】
また、特許文献１に開示されている浴室暖房乾燥機も、乾燥運転モード時は、一定の乾燥用吹出し方向に温風が送風される構成である。このため、被乾燥物全体の乾燥を効率良く行うことができない問題がある。
【００１１】
本発明は、このような問題を解決するためになされたもので、被乾燥物全体の乾燥を効率良く行うことを可能とする浴室空調装置を提供することを目的とする。
【課題を解決するための手段】
【００１２】
上述した課題を解決するため、請求項１の発明に係る浴室空調装置は、浴室内の空気を屋外へ排気する換気手段と、浴室内へ空気を送風する送風手段と、送風手段により浴室内へ送風する空気を加熱する加熱手段と、送風手段により浴室内へ送風する空気の送風方向を切り換える送風方向切換手段と、運転モードに応じて送風方向を連続的に変化させ、且つ、送風方向の変化の速度を変化させるように、送風方向切換手段を制御する制御手段を備えた浴室空調装置において、換気手段による浴室内の空気の換気と、送風手段による浴室内への空気の送風と、加熱手段による浴室内へ送風する空気の加熱とを行って浴室内の被乾燥物を乾燥させる運転モードを乾燥運転モードとしたとき、制御手段は、乾燥運転モードの実行時に、送風方向を連続的に変化させ、且つ、被乾燥物が配置されるべき方向への送風時は他の方向への送風時と比較して送風方向の変化の速度が遅くなるように、送風方向切換手段を制御することを特徴とするものである。
【００１３】
請求項１の発明に係る浴室空調装置では、次のように浴室内の空気の排気及び送風が行われる。
【００１４】
換気手段により、浴室内の空気が取り込まれる。換気手段により取り込まれた浴室内の空気は、屋外に排気される。また、加熱手段により加熱された空気が、送風手段により浴室内へ送風される。
【００１５】
この時、浴室内へ送風される空気の送風方向が連続的に変化するように、送風方向切換手段は制御手段により制御される。更に、被乾燥物が配置されるべき方向への送風時は他の方向への送風時と比較して送風方向の変化の速度が遅くなるように、送風方向切換手段が制御手段により制御される。
【００１６】
これにより、加熱手段により加熱された空気が、浴室内の広い範囲に送風され、且つ、特定方向に対して他の方向と比較して長い時間送風される。
【００１９】
乾燥運転モード時に、換気手段により、浴室内の空気が取り込まれる。換気手段により取り込まれた浴室内の空気は、屋外に排気される。また、加熱手段により加熱された空気が、送風手段により浴室内へ送風される。
【００２０】
この時、浴室内へ送風される空気の送風方向が連続的または断続的に変化するように、送風方向切換手段は制御手段により制御される。更に、被乾燥物が配置されるべき方向への送風時は他の方向への送風時と比較して送風方向の変化の速度が遅くなるように、送風方向切換手段が制御手段により制御される。
【００２１】
これにより、加熱手段により加熱された空気が、浴室内の広い範囲に送風され、且つ、被乾燥物が配置されるべき方向に対して他の方向と比較して長い時間送風される。
【００２２】
また、加熱手段により加熱された空気が浴室内の広い範囲に送風されることから、浴室内の空気の循環が促進される。
【発明の効果】
【００２３】
請求項１の発明の浴室空調装置によれば、加熱手段により加熱された空気を、浴室内の広い範囲に送風し、且つ、被乾燥物が配置されるべき方向に対して他の方向と比較して長い時間送風することができる。
【００２５】
よって、加熱手段により加熱された空気が被乾燥物の広い範囲に当てられる。これにより、被乾燥物全体を効率良く乾燥させることができる。
【００２６】
また、加熱手段により加熱された空気が浴室内の広い範囲に送風され、浴室内の空気の循環が促進されることから、浴室壁面を乾燥させて被乾燥物の温風が直接当たらない箇所の乾燥を促進することができ、被乾燥物全体を更に効率良く乾燥させることが可能となる。
【００２７】
更に加熱手段により加熱された空気が、被乾燥物方向に他の方向と比較して長い時間送風されることから、被乾燥物を効率良く乾燥させることができる。
【発明を実施するための最良の形態】
【００２８】
以下、図面を参照して本発明の浴室空調装置の実施の形態について説明する。
【００２９】
＜本実施の形態の浴室空調装置の構成例＞
図１及び図２は、本実施の形態の浴室空調装置１の一例を示す説明図である。図１（ａ）は浴室空調装置１の構成を示す断面図であり、図１（ｂ）は図１（ａ）のａ−ａ断面図であり、図２は浴室空調装置１の分解斜視図である。
【００３０】
本実施の形態の浴室空調装置１は、例えば次に示すような構成となる。図１及び図２に示すように、本実施の形態の浴室空調装置１は、本体ケース２、ファンユニット３，風路切換部４，ヒータ５、ルーバ１７及びフロントパネル６を備えて構成される。ファンユニット３は、回転駆動される多翼のファン７と、ファン７を回転駆動するファンモータ８を備える。また、ファンモータ８が取り付けられると共に、風路を形成するファンケース９を、ファンユニット３は備える。
【００３１】
ファンユニット３においてはファン７が鉛直向きに配置される。ファンケース９は、ファン７の軸方向に沿った下面が開口して吸込口１０が形成され、ファン７の軸方向に沿った一の側面が開口して、風路切換部４を備える。
【００３２】
風路切換部４は、風路を切り換えるダンパ１１を備える。ダンパ１１は後述するダンパモータの駆動力がカム１１ａを介して伝達され、軸１１ｂを支点に回転して開閉動作を行う。ファンケース９は風路切換部４と連通して下面に吹出口１２を備えると共に、風路切換部４と連通して一の側面に排気口１３を備える。ダンパ１１の位置により、吸込口１０から吹出口１２へ連通する風路、吸込口１０から排気口１３へ連通する風路が形成される。
【００３３】
図１はダンパ１１を全閉にした状態を示す。ダンパ１１を全閉にすると、排気口１３への風路が遮断され、吸込口１０から吹出口１２へ連通した循環風路１４が形成される。図１に示すようにダンパ１１が全閉となる位置をダンパ１１の循環位置と称す。
【００３４】
図３はダンパ１１を全開にした状態を示す。ダンパ１１を全開にすると、吹出口１２への風路が遮断され、吸込口１０から排気口１３へ連通した換気風路１５が形成される。ダンパ１１が全開となる位置をダンパ１１の換気位置と称す。
【００３５】
図４はダンパ１１を循環位置と換気位置の中間位置にした状態を示す。ダンパ１１を循環位置と換気位置の中間位置にすると、吸込口１０から吹出口１２へ連通した循環風路１４と、吸込口１０から排気口１３へ連通した換気風路１５の双方が形成される。この中間位置をダンパ１１の循環換気位置と称す。
【００３６】
ファンユニット３及び風路切換部４は、換気手段及び送風手段の一例である。
【００３７】
図１に示すように、ヒータ５は上述した吹出口１２に備えられる。ヒータ５としては、例えばＰＴＣ（Positive Temperature Coefficient）ヒータが利用可能である。ヒータ５は加熱手段の一例である。
【００３８】
図２に示すように、本体ケース２は下面が開口しており、ファンユニット３の吸込口１０と吹出口１２が露出した状態となる。また本体ケース２の下面開口部には、フロントパネル６が着脱自在に取り付けられる。フロントパネル６は、ファンユニット３の吸込口１０と対向して吸込口６ｂを備えると共に、ファンユニット３の吹出口１２と対向して吹出口６ａを備える。またフロントパネル６は、吸込口６ｂの裏側にフィルタ１６が交換可能に取り付けられる。
【００３９】
また図１に示すように、ルーバ１７は、吹出口１２にて上述したヒータ５の下部に備えられる。図５はルーバ１７の構成及び動作例を示す説明図であり、図１のａ−ａ断面を示している。また図５は、ルーバ１７全体が二つの箇所に分かれて構成された例を示している。
【００４０】
ルーバ１７は、例えば次に示すような構成となる。図１（ｂ）及び図５に示すように、ルーバモータ１８、アームＡ１９、アームＢ２０、複数の羽根２１及び羽根軸２２を備えた組を、二組備えてルーバ１７は構成される。
【００４１】
それぞれの組のルーバモータ１８（ルーバモータＡ１８ａ・ルーバモータＢ１８ｂ）は、吹出口１２の縁部近傍にて本体ケース２に固定されている。また各羽根軸２２は、吹出口１２の各ルーバモータ１８の内側に位置するように、本体ケース２に所定の間隔で固定されている。
【００４２】
各羽根２１は各羽根軸２２に回転自在に取り付けられている。また各羽根２１は上端部にて、アームＡ１９に所定の間隔で回転自在に取り付けられている。アームＡ１９は、吹出口１２の縁部側に位置する端部にてアームＢ２０に回転自在に取り付けられている。アームＢ２０は、本体ケース２に固定されたルーバモータ１８に取り付けられている。
【００４３】
このような構成により、図５に示すように、ルーバモータ１８の駆動により、アームＢ２０及びアームＡ１９が回転し、アームＡ１９に取り付けられた各羽根２１が回転する。またアームＡ１９に取り付けられた各羽根２１は、全て同じ角度に回転し、この回転角度はルーバモータ１８の駆動により制御が可能となる。
【００４４】
このようにルーバ１７の各羽根２１の回転角度を制御することにより、図５に示すように、循環風路１４を経由して吹出口１２から吹出される吹出風４２の送風方向を制御することが可能となる。ルーバ１７は送風方向切換手段の一例である
図５は、ルーバ１７全体が二つの部分に分かれて構成され、それぞれの部分の各羽根２１が別々のルーバモータ１８により制御される構成を示している。しかし、ルーバ１７全体が一体で構成され、全ての羽根２１の角度が一つのルーバモータ１８により制御される構成としても良い。
【００４５】
図１に示すように、ダンパ１１を循環位置にし、ファン７、ヒータ５及びルーバ１７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気を、循環風路１４を通じて吹出口１２から浴室空調装置１の外部に吹出す。
【００４６】
またヒータ５は、ファン７により浴室空調装置１の外部に吹出される空気を、循環風路１４の途中で温める。更にルーバ１７は、吹出口１２から浴室空調装置１の外部に吹出される空気の送風方向を制御する。
【００４７】
図３に示すように、ダンパ１１を換気位置にし、ファン７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気を、換気風路１５を通じて排気口１３から浴室空調装置１の外部に吹出す。
【００４８】
図４に示すように、ダンパ１１を循環換気位置にし、ファン７、ヒータ５及びルーバ１７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気の一部を、換気風路１５を通じて排気口１３から浴室空調装置１の外部に吹出す。
【００４９】
更に、ファン７は吸込んだ空気の残部を、循環風路１４を通じて吹出口１２から浴室空調装置１の外部に吹出す。
【００５０】
またヒータ５は、ファン７により浴室空調装置１の外部に吹出される空気を、循環風路１４の途中で温める。更にルーバ１７は、吹出口１２から浴室空調装置１の外部に吹出される空気の送風方向を制御する。
【００５１】
次に、図６を用いて本実施の形態の浴室空調装置１の設置例について説明する。図６は、洗面所２３に隣接した浴室２４に浴室空調装置１が設置された状態を示している。
【００５２】
浴室空調装置１は浴室２４の天井に設置される。図６は、図１等で説明した浴室空調装置１の長手方向が浴槽２４ａやランドリパイプ２８の長手方向と平行に設置されている例を側面から見た図である。浴室２４の天井パネルには、図１等で説明した浴室空調装置１の本体ケース２が入る開口部が形成され、浴室空調装置１は、フロントパネル６が露出するようにして、天井裏から吊り下げる形態、あるいは天井パネルに固定する形態等で取り付けられる。
【００５３】
浴室空調装置１の吹出口６ａから浴室２４内に空気が送風され、吸込口６ｂから浴室２４内の空気が浴室空調装置１に吸込まれる。また、浴室２４の天井に取り付けられた浴室空調装置１では、排気口１３に排気ダクト接続部を介して図示しない排気ダクトが接続される。排気ダクトは、建物の外壁に取り付けた排気グリルに接続される。これにより、浴室空調装置１で吸込んだ浴室２４内の空気を、排気ダクトを介して外に排気できる構成となっている。
【００５４】
浴室空調装置１は、洗濯物等を乾燥させる機能を備えるので、浴室２４には洗濯物等を掛けるランドリパイプ２８を備える。
【００５５】
浴室２４の入口には浴室ドア２９を備える。浴室ドア２９は空気取入口（ガラリ）２９ａを備え、洗面所２３等の空気を浴室２４内に取り込めるようになっている。
【００５６】
なお、図１等で説明した浴室空調装置１は、浴室２４内の空気を吸込み浴室２４内に送風する構成としたが、外気や洗面所２３等の他室の空気を吸込み浴室２４内に送風する構成としても良い。
【００５７】
＜本実施の形態の浴室空調装置の制御例＞
図７は浴室空調装置１の制御機能の一例を示すブロック図である。浴室空調装置１は、ＣＰＵ（Central Processing Unit）やメモリ等で構成される制御部３０に、図１等で説明したファン７を駆動するファンモータ８と、ダンパ１１を駆動するダンパモータ３２と、ルーバ１７の羽根２１を駆動するルーバモータＡ１８ａ・ルーバモータＢ１８ｂと、ヒータ５と、操作部３１等が接続される。制御部３０は制御手段の一例である。
【００５８】
制御部３０は、図示しないメモリ等に格納されたプログラムよって例えば予備暖房運転モード、入浴暖房運転モード、換気運転モード、涼風運転モード及び乾燥運転モードを実行する。
【００５９】
これらの運転モードは、入浴者等の利用者が操作部３１を操作すること等により選択され、制御部３０は、選択された運転モードを実行するプログラムに従いファンモータ８、ダンパモータ３２、ルーバモータＡ１８ａ、ルーバモータＢ１８ｂ及びヒータ５等を制御する。
【００６０】
操作部３１は、例えば浴室空調装置１本体と独立したリモートコントロール装置で、図６に示すように、洗面所２３の壁面等に取り付けられる。
【００６１】
図８は操作部３１の一例を示す構成図である。操作部３１は表示部３３と、各種操作ボタン等を備える。操作ボタンとしては、予備暖房運転モードを選択する予備暖房モードボタン３４と、入浴暖房運転モードを選択する入浴暖房モードボタン３５と、涼風運転モードを選択する涼風モードボタン３６と、換気運転モードを選択する換気モードボタン３７と、乾燥運転モードを選択する乾燥モードボタン３８を備える。
【００６２】
また、選択した運転モードを利用者が確認できるように、例えば各ボタンに対応してランプ３９を備え、選択された運転モードのボタンに対応するランプ３９が点灯するようにしても良い。更に、タイマボタン４０を備えて、設定した時間に所望の運転モードが実行できるようにしても良い。
【００６３】
また操作部３１は、ルーバ１７のスイング（首振り）動作の角度を設定するためのルーバ設定ボタン２５を備える。ルーバ１７のスイング（首振り）動作の角度の設定については後述する。
【００６４】
また、図８に示した操作部３１の例においては、予備暖房モードボタン３４と入浴暖房モードボタン３５を備え、それぞれのボタンを操作することにより予備暖房運転モード又は入浴暖房運転モードを選択する構成とした。しかし、操作部３１が一つの暖房モードボタンを備え、この暖房モードボタンの操作により次のように予備暖房運転モード及び入浴暖房運転モードが実行されるとしても良い。
【００６５】
まず暖房モードボタンが押されると、予備暖房運転モードが所定の時間実行される。この予備暖房運転モードが実行される時間は、例えばタイマーにより設定が可能である。予備暖房運転モードが所定の時間実行された後、入浴暖房運転モードが実行される。
【００６６】
また、予備暖房運転モード又は入浴暖房運転モードのどちらが実行中であるかは、操作部３１に備えられたランプ３９により確認可能とすることができる構成としても良い。
【００６７】
＜乾燥運転モードの動作例＞
次に、浴室空調装置１における乾燥運転モードの動作例について説明する。図９から図１１は乾燥運転モード時の送風方向を示す説明図であり、図６で説明した浴室２４に浴室空調装置１が設置された状態を示している。また図９から図１１は、浴室２４内のランドリパイプ２８に被乾燥物である洗濯物４１が掛けられた状態を示している。
【００６８】
また、浴室空調装置１は、ファンユニット３により、「強」・「弱」の２段階の風量が得られるように、ファンモータ８の回転速度が２速に切換可能な構成となっている。通常は「強」の一定の風量が得られるようにファンモータ８は制御部３０により制御される。後述する他の入浴暖房運転モードにおいて、「強」より少ない「弱」の風量が得られるようにファンモータ８は制御部３０により制御される。
【００６９】
図７で説明した制御部３０は、操作部３１の乾燥モードボタン３８が押されると、乾燥運転モードを実行する。乾燥運転モードでは、図４に示すように、ダンパ１１の位置が浴室２４内の空気を循環させながら同時に換気を行う循環換気位置となるように、制御部３０はダンパモータ３２を制御する。更に乾燥運転モードでは、制御部３０はヒータ５をオンにする。また乾燥運転モードにおいては、例えば上述した「強」の風量が得られるように制御部３０によりファンモータ８が制御される。
【００７０】
ファンモータ８によりファン７が回転駆動されると、フロントパネル６の吸込口６ｂを介してファンユニット３の吸込口１０から浴室２４の空気が吸込まれる。ダンパ１１の位置が循環換気位置であると、ファンユニット３において吸込口１０から吹出口１２への循環風路１４と、吸込口１０から排気口１３への換気風路１５の双方が形成される。このため、吸込口１０から吸込まれた空気の一部は、換気風路１５及び排気口１３を通り、更に、図６に示す排気ダクト２６を通って排気グリル２７から屋外へ排気される。
【００７１】
また、浴室２４内の空気を屋外に排気することで、浴室ドア２９に設けた空気取入口２９ａから、洗面所２３等の空気が吸込まれる。
【００７２】
また、吸込口１０から吸込まれた空気の一部は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【００７３】
更に、図５（ａ）から図５（ｃ）に示すように、制御部３０によりルーバ１７の羽根２１の角度が連続的または断続的に変化するように制御され、図９の矢印Ａで示す範囲で浴室２４内へ送風される空気の送風方向が、スイング（首振り）状に連続的または断続的に変化する。図１０は吹出口１２より洗濯物４１の方向へ空気が送風される状態を示したものであり、図１１は吹出口１２より洗濯物４１以外の方向へ空気が送風される状態を示したものである。
【００７４】
図１０の矢印Ｂで示す洗濯物４１の方向への送風時は、図１１の矢印Ｃで示す洗濯物４１の方向以外への送風時と比較して、送風方向の変化の速度が遅くなるように、即ち、ルーバ１７の羽根２１の角度の変化速度が遅くなるように制御部３０によりルーバ１７が制御される。
【００７５】
浴室２４内へ送風される空気の送風方向が、連続的に、スイング（首振り）状に変化する際は、図１０の矢印Ｂで示す洗濯物４１の方向への送風時は、図１１の矢印Ｃで示す洗濯物４１の方向以外への送風時と比較して、ルーバ１７の羽根２１の角度の変化速度が遅くなるように制御部３０によりルーバ１７が制御される。
【００７６】
また、浴室２４内へ送風される空気の送風方向が、段階的に、スイング（首振り）状に変化する際は、図１０の矢印Ｂで示す洗濯物４１の方向への送風時は、図１１の矢印Ｃで示す洗濯物４１の方向以外への送風時と比較して、段階毎のルーバ１７の羽根２１の停止時間が長くなるように制御部３０によりルーバ１７が制御される。
【００７７】
以上のようにルーバ１７が制御部３０により制御されることにより、図１０の矢印Ｂで示す洗濯物４１の方向への送風時は、図１１の矢印Ｃで示す洗濯物４１の方向以外への送風時と比較して、送風方向の変化の速度が遅くなる。
【００７８】
なお、図９から図１０の矢印Ａ、Ｂ及びＣで示す、ルーバ１７がスイング（首振り）状に動作する際の角度は、例えば次のように設定される。使用者又は施工業者が、操作部３１のルーバ設定ボタン２５により、浴室２４内のランドリパイプ２８の位置を、基準位置として浴室空調装置１に設定する。設定された基準位置に対する角度に基づき、予め設定された所定角度分についてルーバ１７がスイング（首振り）状に動作する。
【００７９】
また、図９から図１０の矢印Ａ、Ｂ及びＣで示す、ルーバ１７がスイング（首振り）状に動作する際の角度を、操作部３１のルーバ設定ボタン２５により、浴室空調装置１に直接設定し、設定された各角度に基づきルーバ１７がスイング（首振り）状に動作するとしても良い。
【００８０】
以上のように制御部３０によりルーバ１７が制御され、浴室２４内へ吹出される空気の送風方向がスイング（首振り）状に変化することから、乾燥運転モード時は、ヒータ５により加熱された空気が洗濯物４１の広い範囲に当てられる。これにより、洗濯物４１全体を効率良く乾燥させることができる。
【００８１】
また、ヒータ５により加熱された空気が浴室２４内の広い範囲に送風され、浴室２４内の空気が循環される。これにより、浴室２４内の壁面を乾燥させて洗濯物４１の温風が直接当たらない箇所の乾燥を促進することができ、洗濯物４１全体を更に効率良く乾燥させることが可能となる。
【００８２】
また、ヒータ５により加熱された空気は、図１１で示す洗濯物４１以外の方向と比較して、図１０で示す洗濯物４１の方向に対して長い時間送風が行われる。これにより、洗濯物４１を更に効率良く乾燥させることができる。
【００８３】
更に、浴室２４内の空気の一部は屋外に排気され、空気取入口２９ａから洗面所２３等の空気を取り込むことで、浴室２４内の換気が行われるので、湿気等を排出して、洗濯物の乾燥を促進することができる。
【００８４】
＜暖房運転モードの動作例＞
次に、浴室空調装置１における暖房運転モードの動作例について説明する。浴室空調装置１における暖房運転モードには、予備暖房運転モードと入浴暖房運転モードがある。予備暖房運転モードは入浴前暖房運転モードの一例であり、入浴暖房運転モードは入浴中暖房運転モードの一例である。
【００８５】
まず予備暖房運転モードの動作例について説明する。図１２は予備暖房運転モード時の送風例を示す説明図であり、図６で説明した浴室２４に浴室空調装置１が設置された状態を示している。
【００８６】
図７で説明した制御部３０は、操作部３１の予備暖房モードボタン３４が押されると、予備暖房運転モードを実行する。予備暖房運転モードでは、図１に示すように、ダンパ１１の位置が浴室２４内の空気を循環させる循環位置となるように、制御部３０はダンパモータ３２を制御する。更に予備暖房運転モードでは、制御部３０はヒータ５をオンにする。また予備暖房運転モードにおいては、例えば上述した「強」の風量が得られるように制御部３０によりファンモータ８が制御される。
【００８７】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【００８８】
予備暖房運転モードにおいては、ルーバ１７の羽根２１の角度は、図５（ｂ）に示すように、制御部３０により制御される。よって、予備暖房運転モードにおいては、図１２に示すように、ヒータ５により加熱された空気が浴室２４内の洗い場２４ｂの床の方向に吹出される。
【００８９】
これにより予備暖房運転モードにおいては、浴室２４内の空気を循環させながら浴室２４内を暖房し、洗い場２４ｂの温度を上げることができる。
【００９０】
次に、入浴暖房運転モードの動作例について説明する。図１３は入浴暖房運転モード時の送風例を示す説明図であり、図６で説明した浴室２４に浴室空調装置１が設置された状態を示している。
【００９１】
図７で説明した制御部３０は、操作部３１の入浴暖房モードボタン３５が押されると、入浴暖房運転モードを実行する。入浴暖房運転モードでは、図１に示すように、ダンパ１１の位置が浴室２４内の空気を循環させる循環位置となるように、制御部３０はダンパモータ３２を制御する。更に入浴暖房運転モードでは、制御部３０はヒータ５をオンにする。また入浴暖房運転モードにおいては、例えば上述した「強」の風量が得られるように制御部３０によりファンモータ８が制御される。
【００９２】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【００９３】
入浴暖房運転モードにおいては、ルーバ１７の羽根２１の角度は、図５（ｃ）に示すように、制御部３０により制御される。よって、入浴暖房運転モードにおいては、図１３に示すように、ヒータ５により加熱された空気が、浴室２４内の浴槽２４ａの方向に吹出される。
【００９４】
これにより入浴暖房運転モードにおいては、浴室２４内の空気を循環させながら浴室２４内を暖房し、且つ、洗い場２４ｂにいる入浴者に風（温風）が当たらないようにして、寒さを感じることを防ぐことができる。
【００９５】
＜涼風運転モードの動作例＞
次に、浴室空調装置１における涼風運転モードの動作例について説明する。図７で説明した制御部３０は、操作部３１の涼風モードボタン３６が押されると、涼風運転モードを実行する。涼風運転モードでは、図４に示すように、ダンパ１１の位置が浴室２４内の空気を循環させながら換気を行う循環換気位置となるように、制御部３０はダンパモータ３２を制御する。また涼風運転モードにおいては、例えば上述した「強」の風量が得られるように制御部３０によりファンモータ８が制御される。
【００９６】
ファンモータ８によりファン７が回転駆動されると、フロントパネル６の吸込口６ｂを介してファンユニット３の吸込口１０から浴室２４の空気が吸込まれる。ダンパ１１の位置が循環換気位置であると、ファンユニット３において吸込口１０から吹出口１２への循環風路１４と、吸込口１０から排気口１３への換気風路１５の双方が形成される。このため、吸込口１０から吸込まれた空気の一部は、換気風路１５及び排気口１３を通り、更に、図６に示す排気ダクト２６を通って排気グリル２７から屋外へ排気される。
【００９７】
また、浴室２４内の空気を屋外に排気することで、浴室ドア２９に設けた空気取入口２９ａから、洗面所２３等の空気が吸込まれる。
【００９８】
また、吸込口１０から吸込まれた空気の一部は、循環風路１４を通り吹出口１２からフロントパネル６の吹出口６ａを介して浴室２４内に吹出される。この時ルーバ１７の羽根２１の角度は、例えば図５（ａ）に示すように、制御部３０により制御される。また図５（ａ）から図５（ｃ）に示すように、制御部３０によりルーバ１７の羽根２１の角度が連続的に変化するように制御され、浴室２４内へ送風される空気の送風方向が連続的に変化するとしても良い。
【００９９】
これにより、涼風運転モードを実行することで、浴室２４内の空気を循環及び換気させながら、浴室２４内の温度に応じた涼風が吹き出され、浴室空調装置１を夏場等に扇風機として使用することができる。
【０１００】
なお、涼風運転モードのダンパ１１の位置は、図１に示す循環位置としても良い。
【０１０１】
＜換気運転モードの動作例＞
次に、浴室空調装置１における換気運転モードの動作例について説明する。図７で説明した制御部３０は、操作部３１の換気モードボタン３７が押されると、換気運転モードを実行する。換気運転モードでは、制御部３０は、ダンパ１１の位置が図３に示す換気位置となるように、ダンパモータ３２を制御すると共に、ファンユニット３の風量が例えば上述した「強」となるようにファンモータ８を制御する。
【０１０２】
ファンモータ８によりファン７が回転駆動されると、フロントパネル６の吸込口６ｂを介してファンユニット３の吸込口１０から浴室２４の空気が吸込まれる。ダンパ１１の位置が換気位置であると、ファンユニット３において吸込口１０から排気口１３への換気風路１５が形成されるので、吸込口１０から吸込まれた空気は、換気風路１５及び排気口１３を通り、更に、図６に示す排気ダクト２６を通って排気グリル２７から屋外へ排気される。
【０１０３】
また、浴室２４内の空気を屋外に排気することで、浴室ドア２９に設けた空気取入口２９ａから、洗面所２３等の空気が吸込まれる。
【０１０４】
これにより、換気運転モードを実行することで、浴室２４内の湯気や湿気を排出して結露等を抑制し、カビの発生を抑えることができる。
【０１０５】
＜他の暖房運転モードの動作例＞
次に、浴室空調装置１における他の暖房運転モードの動作例について説明する。図１４及び図１５は他の暖房運転モードの動作例についての説明図であり、図１６は他の暖房運転モード時のルーバ１７の動作例についての説明図であり、図１のａ−ａ断面を示している。
【０１０６】
前述したように浴室空調装置１における暖房運転モードには、予備暖房運転モードと入浴暖房運転モードがある。まず他の予備暖房運転モードの動作例について説明する。図１４は他の予備暖房運転モード時の送風例を示す説明図であり、図６で説明した浴室２４に浴室空調装置１が設置された状態を示している。
【０１０７】
前述したように、図７で説明した制御部３０は、操作部３１の予備暖房モードボタン３４が押されると、予備暖房運転モードを実行する。他の予備暖房運転モードにおいても、図１に示すように、ダンパ１１の位置が浴室２４内の空気を循環させる循環位置となるように、制御部３０はダンパモータ３２を制御し、更にヒータ５をオンにする。また他の予備暖房運転モードにおいても、例えば上述した「強」の風量が得られるように制御部３０によりファンモータ８が制御される。
【０１０８】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【０１０９】
他の予備暖房運転モードにおいては、ルーバ１７の羽根２１の角度は、図１６（ａ）に示すように、制御部３０により制御される。よって、他の予備暖房運転モードにおいては、図１４に示すように、ヒータ５により加熱された空気が浴室２４内の洗い場２４ｂの床等の特定箇所に集中して吹出される。
【０１１０】
これにより他の予備暖房運転モードにおいては、浴室２４内の空気を循環させながら浴室２４内を暖房し、床等の温度を短時間で上げることができる。
次に、他の入浴暖房運転モードの動作例について説明する。図１５は入浴暖房運転モード時の送風例を示す説明図であり、図６で説明した浴室２４に浴室空調装置１が設置された状態を示している。
【０１１１】
前述したように、図７で説明した制御部３０は、操作部３１の入浴暖房モードボタン３５が押されると、入浴暖房運転モードを実行する。他の入浴暖房運転モードにおいても、図１に示すように、ダンパ１１の位置が浴室２４内の空気を循環させる循環位置となるように、制御部３０はダンパモータ３２を制御し、更にヒータ５をオンにする。また他の入浴暖房運転モードにおいては、上述した「弱」の風量が得られるように制御部３０によりファンモータ８が制御される。
【０１１２】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【０１１３】
他の入浴暖房運転モードにおいては、ルーバ１７の羽根２１の角度は、図１６（ｂ）に示すように、制御部３０により制御される。よって、他の入浴暖房運転モードにおいては、図１５に示すように、ヒータ５により加熱された空気が、鉛直方向から大きく角度を持った方向に対して二方向に吹出される。
【０１１４】
これにより他の入浴暖房運転モードにおいては、浴室２４内の空気を循環させながら浴室２４内を暖房し、且つ、入浴者に風（温風）が当たって寒さを感じることを抑えることができる。
【０１１５】
図１等で示した浴室空調装置１は、ダンパ１１により循環風路１４及び換気風路１５を切換える構成とした。しかし、循環用及び換気用にそれぞれ別々のファンを有した構成としても良い。
【０１１６】
また図１等で示した浴室空調装置１は、加熱手段として電気式のヒータ５を備える構成としたが、温水による熱交換器を加熱手段として用いても良い。また、ルーバ１７のスイング（首振り）状の動作による送風方向の変化は、連続的な変化だけでなく、前述したように、断続的な変化であっても良い。
【産業上の利用可能性】
【０１１７】
本発明は、浴室内の被乾燥物の乾燥を行う浴室空調装置に適用される。
【図面の簡単な説明】
【０１１８】
【図１】本実施の形態の浴室空調装置を示す説明図である。
【図２】本実施の形態の浴室空調装置の分解斜視図である。
【図３】本実施の形態の浴室空調装置を示す説明図である。
【図４】本実施の形態の浴室空調装置を示す説明図である。
【図５】本実施の形態の浴室空調装置のルーバの構成及び動作例を示す説明図である。
【図６】本実施の形態の浴室空調装置の設置例を示す説明図である。
【図７】本実施の形態の浴室空調装置の制御機能例を示す説明図である。
【図８】本実施の形態の浴室空調装置の操作部の例を示す説明図である。
【図９】乾燥運転モードの動作例を示す説明図である。
【図１０】乾燥運転モードの動作例を示す説明図である。
【図１１】乾燥運転モードの動作例を示す説明図である。
【図１２】予備運転モードの動作例を示す説明図である。
【図１３】入浴暖房運転モードの動作例を示す説明図である。
【図１４】他の予備暖房運転モードの動作例を示す説明図である。
【図１５】他の入浴暖房運転モードの動作例を示す説明図である。
【図１６】他の暖房運転モード時のルーバの動作例を示す説明図である。
【符号の説明】
【０１１９】
１・・・浴室空調装置、２・・・本体ケース、３・・・ファンユニット、４・・・風路切換部、５・・・ヒータ、６・・・フロントパネル、６ａ・・・吐出口、６ｂ・・・吸込口、７・・・ファン、８・・・ファンモータ、９・・・ファンケース、１０・・・吸込口、１１・・・ダンパ、１１ａ・・・カム、１１ｂ・・・軸、１２・・・吹出口、１３・・・排気口、１４・・・循環風路、１５・・・換気風路、１６・・・フィルタ、１７・・・ルーバ、１８・・・ルーバモータ、１８ａ・・・ルーバモータＡ、１８ｂ・・・ルーバモータＢ、１９・・・アームＡ、２０・・・アームＢ、２１・・・羽根、２２・・・羽根軸、２３・・・洗面所、２４・・・浴室、２４ａ・・・浴槽、２４ｂ・・・洗い場、２５・・・ルーバ設定ボタン、２８・・・ランドリパイプ、２９・・・浴室ドア、２９ａ・・・空気取入口、３０・・・制御部、３１・・・操作部、３２・・・ダンパモータ、３３・・・表示部、３４・・・予備暖房モードボタン、３５・・・入浴暖房モードボタン、３６・・・涼風モードボタン、３７・・・換気モードボタン、３８・・・乾燥モードボタン、３９・・・ランプ、４０・・・タイマボタン、４１・・・洗濯物、４２・・・吹出風
【図１】
0004655803.tif 000002
【図２】
0004655803.tif 000003
【図３】
0004655803.tif 000004
【図４】
0004655803.tif 000005
【図５】
0004655803.tif 000006
【図６】
0004655803.tif 000007
【図７】
0004655803.tif 000008
【図８】
0004655803.tif 000009
【図９】
0004655803.tif 000010
【図１０】
0004655803.tif 000011
【図１１】
0004655803.tif 000012
【図１２】
0004655803.tif 000013
【図１３】
0004655803.tif 000014
【図１４】
0004655803.tif 000015
【図１５】
0004655803.tif 000016
【図１６】
0004655803.tif 000017